(57)【要約】【課題】包装容器から板状食品を、その一端が露出した状態で引き出せ、しかも包装容器内で板状食品の数が減っても、板状食品の整列状態を維持できる包装構造を提供する。【解決手段】本包装構造は、包装紙４Ａにより個包装したガム等の板状食品３を複数枚整列させた状態で集積して包装容器２に収容する。包装紙４Ａは、板状食品３を包装容器２から取り出す際の引き抜き方向側３１を覆う第１包装紙片４１と、反引き抜き方向側３２を覆う第２包装紙片４２とを有している。第１包装紙片４１および第２包装紙片４２は、所定の力以上の引っ張り力が加わると解離可能な仮接着剤５で接着された一体の個包装紙となる。仮接着剤５で接着された個包装紙によって各板状食品３は個包装されており、かつ、包装容器２に収容された状態で、個包装紙の第２包装紙片４２を包装容器２内に留めるように、第２包装紙片４２を包装容器２内に接着剤６により接着している。【選択図】図２
2011126563.tif 000002
【特許請求の範囲】
【請求項１】
包装紙により個包装したガム等の板状食品を複数枚整列させた状態で集積して包装容器に収容する包装構造であって、
前記包装紙は、板状食品を前記包装容器から取り出す際の引き抜き方向側を覆う第１包装紙片と、反引き抜き方向側を覆う第２包装紙片とを有し、前記第１包装紙片および第２包装紙片は、所定の力以上の引っ張り力が加わると解離可能な仮接着剤で接着された一体の個包装紙となっており、
当該仮接着剤で接着された個包装紙によって各板状食品は個包装されており、かつ、前記包装容器に収容された状態で、前記個包装紙の第２包装紙片を前記包装容器内に留めるように、前記第２包装紙片を前記包装容器内に接着するための接着手段、を含むことを特徴とする、包装構造。
【請求項２】
包装紙により個包装したガム等の板状食品を複数枚整列させた状態で集積して包装容器に収容する包装構造であって、
前記板状食品は、前記包装容器から取り出す際の引き抜き方向側が少なくとも個包装紙で覆われており、
前記個包装紙で覆われた各板状食品が前記包装容器に収容された状態において、前記包装容器内で複数枚整列されて集積された複数枚の板状食品の各個包装紙で覆われていない反引き抜き方向側が共通の集積用包装紙で覆われており、かつ
各板状食品を個包装した個包装紙と前記共通の集積用包装紙とは、前記個包装紙に所定の力以上の引っ張り力が加わると解離可能な仮接着剤で接着されていることを特徴とする、包装構造。
【発明の詳細な説明】
【技術分野】
【０００１】
この発明は、ガムやチョコレート等の板状食品を個包装して包装容器に収容する包装構造に関し、特に、包装容器から板状食品を１つずつ個別に取り出して喫食するのに良好な包装構造に関する。
【背景技術】
【０００２】
従来、ガムやチョコレート等の板状の食品を収容する包装容器として、特許文献１や特許文献２に記載のものがある。
これら特許文献に記載の包装容器は、板状食品を立てた状態で、前列よりも後列側が高くなるように段差を設けて２列に重ね、コンパクトに収容したものである。
かかる構成によれば、包装容器内の板状食品の高さが前列より後列側が高くなるため、食品の取り出しが容易になる。また、板状食品を包装容器内に仮着しているので、たとえば前列の板状食品を取り出す時に、後列の板状食品の整列が乱れることが防止される。
【先行技術文献】
【特許文献】
【０００３】
【特許文献１】特許第３９５５３５５号公報
【特許文献２】特許第３９５５３５６号公報
【特許文献３】特開２００９−１７３３２２号
【発明の概要】
【発明が解決しようとする課題】
【０００４】
特許文献１及び特許文献２に開示された包装構造（包装容器）では、包装容器から個々の板状食品を取り出して喫食することができるが、取り出した際に個々の板状食品の包装紙を剥離しなければならず、喫食時の包装紙の取り外しが煩わしいという課題がある。
一方、特許文献３には、板状食品を個包装する包装紙に予めミシン目を入れておき、ミシン目入りの包装紙で個包装された板状食品の包装紙の一端側を包装容器内に接着しておくことにより、包装紙の他端側を介して板状食品を把持して板状食品を引き抜くことにより、包装紙のミシン目部分が引きちぎれて板状食品の一端が露出した状態で包装容器から取り出せ、容易に喫食できる包装構造が提案されている。
【０００５】
上記ミシン目入りの個包装紙は、板状食品の引き抜き時にミシン目が切れて板状食品を喫食可能に取り出せる点では優れているが、ミシン目の大きさや間隔を板状食品毎に設計しなければ、引き抜き時にミシン目が適切に切れないこともある。そこで、より良好に板状食品を引き抜くことができ、引き抜いた際に板状食品の一端側が露出して引き出せるような包装構造が望まれる。
【０００６】
この発明は、係る背景のもとになされたものであり、包装容器から板状食品を取り出した際に、個包装された板状食品の一端の包装が剥がれて板状食品の一端が露出した状態で引き出せ、しかも包装容器内で板状食品の数が減っても、板状食品がばらばらになることのない、より改善された包装構造を提供することを主たる目的とする。
【課題を解決するための手段】
【０００７】
請求項１記載の発明は、包装紙により個包装したガム等の板状食品を複数枚整列させた状態で集積して包装容器に収容する包装構造であって、前記包装紙は、板状食品を前記包装容器から取り出す際の引き抜き方向側を覆う第１包装紙片と、反引き抜き方向側を覆う第２包装紙片とを有し、前記第１包装紙片および第２包装紙片は、所定の力以上の引っ張り力が加わると解離可能な仮接着剤で接着された一体の個包装紙となっており、当該仮接着剤で接着された個包装紙によって各板状食品は個包装されており、かつ、前記包装容器に収容された状態で、前記個包装紙の第２包装紙片を前記包装容器内に留めるように、前記第２包装紙片を前記包装容器内に接着するための接着手段、を含むことを特徴とする、包装構造である。
【０００８】
請求項２記載の発明は、包装紙により個包装したガム等の板状食品を複数枚整列させた状態で集積して包装容器に収容する包装構造であって、前記板状食品は、前記包装容器から取り出す際の引き抜き方向側が少なくとも個包装紙で覆われており、前記個包装紙で覆われた各板状食品が前記包装容器に収容された状態において、前記包装容器内で複数枚整列されて集積された複数枚の板状食品の各個包装紙で覆われていない反引き抜き方向側が共通の集積用包装紙で覆われており、かつ各板状食品を個包装した個包装紙と前記共通の集積用包装紙とは、前記個包装紙に所定の力以上の引っ張り力が加わると解離可能な仮接着剤で接着されていることを特徴とする、包装構造である。
【発明の効果】
【０００９】
請求項１記載の発明によれば、各板状食品を個包装する包装紙は、第１包装紙片および第２包装紙片が仮接着剤で接着された一体の個包装紙となっている。そして、この個包装紙で各板状食品が個包装されている。また、個包装紙を構成する第１包装紙片および第２包装紙片のうち、第２包装紙片は包装容器内に留まるように、包装容器内に接着手段により接着されている。
【００１０】
このため、板状食品を包装容器から引き出す際には、第１包装紙片で覆われた板状食品の引き抜き方向側を把持して、把持した板状食品を所定の引っ張り力で包装容器から引き抜くことにより、把持した部分は第１包装紙片で覆われた状態で、かつ、板状食品の根元側（一端側）を覆っていた第２包装紙片が第１包装紙片から解離して包装容器内に残される。よって、第２包装紙片が離れて板状食品の一端が露出した状態で、板状食品を包装容器から引き出すことができる。これにより、把持して引き出した板状食品は、その根元側を口に入れ易く、喫食し易い状態で取り出すことができる。
【００１１】
包装容器内に残った第２の包装紙片は、接着手段で包装容器内に固定されているため、包装容器内にそのまま残り、他の残りの板状食品を包装している第２包装紙片との関係もそのままであるから、包装容器に収容された残りの板状食品は、当初の整列状態のまま包装容器内に収容された状態が維持される。つまり、包装容器から板状食品を引き出し、喫食していくにつれて、包装容器内の板状食品の枚数は減少していくが、第２包装紙片を介して板状食品は包装容器内に固定されているため、その整列状態が乱れたりせず、取り出し易い状態のまま包装容器内に収容されている。
【００１２】
請求項２記載の発明では、集積用包装紙が複数枚の板状食品を共通に包装する共通の包装用紙片であり、当該共通の包装用紙片は、包装容器内で安定して収容されているから、この場合も、板状食品を個々に引き出しても、残った板状食品は包装容器内で整列状態が維持される。また、請求項１記載の発明と同様に、板状食品を包装容器から、板状食品の一端が露出された喫食し易い状態で取り出すことができる。
【図面の簡単な説明】
【００１３】
【図１】図１は、この発明の一実施形態にかかる包装構造が適用された包装体１Ａの斜視図である。
【図２】図２は、包装体１Ａの断面図である。
【図３】図３は、包装体１Ａの製造方法を説明する模式図である。
【図４】図４は、包装体１Ａの使用状態を説明する模式図である。
【図５】図５は、この発明の他の実施形態にかかる包装構造が適用された包装体１Ｂの製造方法を説明する模式図である。
【図６】図６は、包装体１Ｂの使用状態を説明する模式図である。
【発明を実施するための形態】
【００１４】
以下には、図面を参照して、この発明の実施形態について具体的に説明をする。
図１は、この発明の一実施形態にかかる包装構造が適用された包装体１Ａの斜視図である。図１を参照して、包装体１Ａは、包装容器２と、この包装容器２に収容された包装対象物としての複数の板状食品３と、これらの板状食品３を個包装する複数の包装紙４Ａとを有している。板状食品３としては、例えば、ガム、チョコレート等である。
【００１５】
包装紙４Ａにより個包装したガム等の板状食品３は、複数枚整列させた状態で集積され、包装容器２に収容されている。なお、図１は、包装容器２内に整列した複数の板状食品３のうちの一つを取り出した状態を図示している。また、以下では、板状食品３を包装紙４Ａにより個包装したものを、食品ユニット３０ともいう。この食品ユニット３０は、板状食品３と包装紙４Ａとを含んでいる。
【００１６】
包装容器２は、箱形状をなしており、例えば、紙材により形成されている。包装容器２は、開口２０を有する容器形状をなす主体部２１と、主体部２１の開口２０を開閉可能に覆う蓋２２と、蓋２２と主体部２１とを連結する連結部２３とを有している。なお、包装容器２は、紙製の他、合成樹脂により形成してもよい。主体部２１と、蓋２２と、連結部２３とは、展開形状の一枚の紙材を折り曲げて形成されてなる。
【００１７】
蓋２２を開くことにより、包装容器２の開口２０を開放できる。包装容器２の開口２０を通じて、包装容器２から板状食品３を引き抜くことができる。
包装容器２内において、複数の板状食品３は、互いに直交する２方向Ｘ，Ｙ（当該板状食品３の長手方向Ｚにともに直交する２方向）に並んでいる。また、各板状食品３は、長手方向Ｚが互いに平行になるように、整列して配置されている。なお、本実施形態では、複数の板状食品３がＸ方向に列をなして４つ並ぶ場合（Ｙ方向に２列並ぶ）を説明するが、Ｙ方向に3つ以上並ぶ場合や、Ｙ方向には1つだけで、Ｘ方向に一列に並ぶ収容の仕方にも適用できる。
【００１８】
板状食品３は、当該板状食品３の長手方向Ｚに関して、引き抜き方向側３１と、反引き抜き方向側３２とを有している。引き抜き方向側３１は、包装容器２内において底板２４から遠い側に配置されている。反引き抜き方向側３２は、包装容器２内において底板２４に近い側に配置されている。
図２は、包装体１Ａの部分断面図である。図１および図２を参照して、包装紙４Ａは、板状食品３の引き抜き方向側３１を覆う第１包装紙片４１と、板状食品３の反引き抜き方向側３２を覆う第２包装紙片４２とを有している。
【００１９】
第１包装紙片４１および第２包装紙片４２は、所定の大きさ以上の引っ張り力が加わると解離可能な仮接着剤５で接着された一体の個包装紙となっている。
仮接着剤５で接着された個包装紙４Ａによって各板状食品３は個包装されて食品ユニット３０となり、その食品ユニット３０が包装容器２に収容された状態で、個包装紙４Ａの第２包装紙片４２を包装容器２内に留めるように、第２包装紙片４２が集積紙８で囲まれ、第２包装紙片４２と集積紙８とは接着剤６で接着され、さらに集積紙８は接着剤７で包装容器２内に接着されている。つまり、集積紙８および接着剤６、７が接着手段を構成している。
【００２０】
接着剤６と接着剤７とは、同じ仕様のものを利用できるし、異なる仕様のものを用いても良い。いずれの場合も、上述の仮接着剤５と比較して、強い接着力を有している。これにより、食品ユニット３０を引き出すときに、個包装紙の第２包装紙片４２を包装容器２内に留めることができる。
これにより、板状食品３の一端としての反引き抜き方向側３２が露出した喫食し易い状態で、板状食品３を包装容器２から引き出すことができる。これとともに、喫食に伴って包装容器２内の板状食品３の数が減少しても、第２包装紙片４２を介して板状食品３は包装容器２内に固定されているため、その整列状態が乱れたりせず、取り出し易い状態のまま包装容器２内に収容できる。
【００２１】
第１包装紙片４１は、板状食品３の長手方向Ｚに関して、板状食品３を把持できる長さで板状食品３の引き抜き方向側３１を覆っている。
第２包装紙片４２は、板状食品３の長手方向Ｚに関して、第１包装紙片４１で覆われていない板状食品３の反引き抜き方向側３２にある部分を覆っている。
また、第１包装紙片４１が板状食品３を覆い、且つ第２包装紙片４２が取り除かれた状態では、板状食品３の反引き抜き方向側３２が、板状食品３の長手方向Ｚに関して、口に入れることができる長さで露出されるようになっている。
【００２２】
図３は、包装体１Ａの製造方法を説明する模式図である。第１包装紙片４１および第２包装紙片４２は、互いに仮接着剤５で接着されており、これにより一体の個包装紙となっている。仮接着剤５は、所定の大きさ以上の引っ張り力が作用したときに、仮接着剤５で接着された第１包装紙片４１および第２包装紙片４２の接着部分同士が解離し、第１包装紙片４１および第２包装紙片４２が互いに分離するようになっている。
【００２３】
仮接着された個包装紙を用いて、板状食品３の全体を包む。これにより食品ユニット３０が得られる。
次に、複数の食品ユニット３０を、集積紙８に並べる。このとき、第２包装紙片４２と集積紙８とを接着剤６により固定する。
図４を参照して、次に、集積紙８を介して互いに連結された複数の食品ユニット３０を、包装容器２の主体部２１に入れる。集積紙８と包装容器２の主体部２１とを、接着剤７で固定する。これにより、包装体１Ａを得る。
【００２４】
所望の板状食品３を包装容器２から引き出す際には、第１包装紙片４１で覆われた板状食品３の引き抜き方向側３１を把持して、把持した板状食品３を、所定の引っ張り力以上の力で包装容器２から引き抜くようにする。これにより、板状食品３の根元側にある反引き抜き方向側３２が露出し、且つ、この根元側を覆っていた第２包装紙片４２が包装容器２内に残される。よって、板状食品３を包装容器２から、板状食品３の一端としての反引き抜き方向側３２が露出された喫食し易い状態で取り出すことができる。
【００２５】
また、包装容器２内に残った第２包装紙片４２は、包装容器２内に固定されているため、包装容器２内にそのまま残っている。これとともに、他の食品ユニット３０の第２包装紙片４２との関係もそのままである。従って、包装容器２に収容された残りの食品ユニット３０は、当初の整列状態のまま包装容器２内に収容された状態が維持される。つまり、包装容器２から板状食品３を引き出し、喫食していくにつれて、包装容器２内の板状食品３の枚数は減少していくが、第２包装紙片４２を介して食品ユニット３０（板状食品３）は包装容器２内に固定されているため、その整列状態が乱れたりせず、取り出し易い状態のまま包装容器２内に収容されている。
【００２６】
次に、本発明の他の実施形態について説明する。なお、以下の実施形態では、上述の実施形態と異なる点を中心に説明する。他の構成については、上述の実施形態と同様であり、上述の実施形態と同じ符合を付しておく。
図５は、この発明の他の実施形態にかかる包装構造が適用された包装体１Ｂの製造方法を説明する模式図である。図６は、包装体１Ｂの使用状態を説明する模式図である。
【００２７】
包装体１Ｂは、図１に示す実施形態の包装紙４Ａに代えて、図５および図６に示す包装紙４Ｂを有している。
包装紙４Ｂは、上述の第１包装紙片４１と同じに構成された個包装紙５１と、上述の集積紙８と同じに形成された集積用包装紙５２である。個包装紙５１は、板状食品３毎に１枚ずつ用いられる。板状食品３の引き抜き方向側３１が、少なくとも個包装紙５１で覆われている。集積用包装紙５２は、複数の板状食品３について一つが用いられ、これらの複数の板状食品３の反引き抜き方向側３２を覆っている。本実施形態では、一つの包装容器２内において、２つの集積用包装紙５２が用いられている。各集積用包装紙５２は、Ｘ方向に沿って一列に並ぶ複数の板状食品３を覆っている。
【００２８】
また、個包装紙５１が、集積用包装紙５２に、仮接着剤５により仮接着されている。また、集積用包装紙５２は、板状食品３の反引き抜き方向側３２を覆う包装紙４Ｂの一部として機能するとともに、上述の集積紙８と同様に機能しており、包装容器２に接着手段としての接着剤７により接着されて固定されている。
個包装紙５１で覆われた各板状食品３が包装容器２に収容された状態において、包装容器２内で整列されて集積された複数枚の板状食品３の反引き抜き方向側３２は、共通の集積用包装紙５２で覆われている。これとともに、各板状食品３を個包装した個包装紙５１と共通の集積用包装紙５２とは、個包装紙に所定の力以上の引っ張り力が加わると解離可能な仮接着剤５で接着されている。
【００２９】
図５を参照して、包装体１Ｂは、例えば、下記のようにして製造することができる。
先ず、個包装紙５１を用いて、板状食品３の引き抜き方向側３１を包む。このとき、板状食品３の反引き抜き方向側３２は、露出させる。次に、個包装紙５１により一部が包装された複数の板状食品３を、整列させる。これらの整列した板状食品３の反引き抜き方向側３２を集積用包装紙５２で覆う。そして、個包装紙５１と集積用包装紙５２とを、仮接着剤５で固定する。これにより板状の食品ユニット３０Ｂが得られる。
【００３０】
次に、複数の食品ユニット３０Ｂを、整列状態とし、包装容器２の主体部２１に入れる。集積用包装紙５２と包装容器２の主体部２１とを、接着剤７で固定する。これにより、包装体１Ｂを得る。
図６を参照して、所望の板状食品３を包装容器２から引き出す際には、個包装紙５１で覆われた板状食品３の引き抜き方向側３１を把持して、把持した板状食品３を、所定の引っ張り力以上の力で包装容器２から引き抜くようにする。これにより、板状食品３の根元側（一端側）が露出し、且つ、この根元側を覆っていた集積用包装紙５２が包装容器２内に残される。よって、板状食品３を包装容器２から、板状食品３の一端が露出された喫食し易い状態で取り出すことができる。
【００３１】
また、集積用包装紙５２が複数枚の板状食品３を共通に包装する共通の包装用紙片であり、当該共通の包装用紙片は、包装容器２内で安定して収容されているから、この場合も、板状食品３を個々に引き出しても、残った板状食品３は包装容器２内で整列状態が維持される。
その他、特許請求の範囲に記載された事項の範囲で種々の設計変更を施すことが可能である。
【符号の説明】
【００３２】
１Ａ、１Ｂ    包装体
２    包装容器
３    板状食品
４Ａ    包装紙（個包装紙）
４Ｂ    包装紙
５    仮接着剤
６、７    接着剤
８    集積紙
２０    開口
２１    主体部
２２    蓋
２３    連結部
２４    底板
３０、３０Ｂ    食品ユニット
３１    引き抜き方向側
３２    反引き抜き方向側
４１    第１包装紙片
４２    第２包装紙片
５１    個包装紙
５２    集積用包装紙
Ｘ、Ｙ    方向
Ｚ    長手方向
【図１】
2011126563.tif 000003
【図２】
2011126563.tif 000004
【図３】
2011126563.tif 000005
【図４】
2011126563.tif 000006
【図５】
2011126563.tif 000007
【図６】
2011126563.tif 000008